(57)【要約】【課題】環境温度によらず表示品位を一定に保ち、かつ消費電力を低くすることが可能な液晶装置用駆動回路及び駆動方法並びに液晶装置及び電子機器を提供する。【解決手段】制御回路４００は、算出手段であるコントローラ４０１、駆動周波数制御手段である可変発振回路４０２、及び温度検出手段である温度センサ４０３を具備し、温度センサ４０３により検出された液晶の温度に応じて液晶パネル１００のフレーム周波数を変化させる。ここで、液晶パネル１００のフレーム周波数は、液晶の温度が高いほど高い値となるように設定されている。【選択図】図５
2007304234.tif 000002
【特許請求の範囲】
【請求項１】
一対の基板間に液晶を狭持してなり、複数の走査線と、複数のデータ線と、前記複数の
走査線と前記複数のデータ線との交差に対応して設けられた複数の画素とを具備する液晶
装置の液晶装置用駆動回路であって、
前記液晶の温度又は前記液晶装置の周囲の環境の温度を検出する温度検出手段と、
該温度検出手段により検出された前記温度に基づいて前記液晶装置の目標フレーム周波
数を算出する算出手段と、
該算出手段により算出された前記目標フレーム周波数で前記液晶装置を駆動するための
駆動信号を生成する駆動周波数制御手段とを具備することを特徴とする液晶装置用駆動回
路。
【請求項２】
前記算出手段は、前記温度を変数とした一次式に基づいて前記目標フレーム周波数を算
出することを特徴とする請求項１に記載の液晶装置用駆動回路。
【請求項３】
前記一次式は、次式で表されることを特徴とする請求項２に記載の液晶装置用駆動回路
。
Ｆ＝０．６Ｔ＋３０
ただし、Ｆは前記目標フレーム周波数［Ｈｚ］、Ｔは前記温度［℃］
【請求項４】
さらに前記温度検出手段により検出された前記温度に基づいて、前記画素に印加する電
圧信号の電圧値を制御する信号電圧制御手段を具備することを特徴とする請求項１から３
のいずれか一項に記載の液晶装置用駆動回路。
【請求項５】
請求項１から請求項４のいずれか一項に記載の液晶装置用駆動回路を具備することを特
徴とする液晶装置。
【請求項６】
請求項５に記載の液晶装置を具備することを特徴とする電子機器。
【請求項７】
一対の基板間に液晶を狭持してなり、複数の走査線と、複数のデータ線と、前記複数の
走査線と前記複数のデータ線との交差に対応して設けられた複数の画素とを具備する液晶
装置の液晶装置用駆動方法であって、
前記液晶の温度又は前記液晶装置の周囲の環境の温度を検出する温度検出工程と、
該温度検出工程で検出された前記温度に基づいて前記液晶装置の目標フレーム周波数を
算出する算出工程と、
該算出工程で算出された前記目標フレーム周波数で前記液晶装置を駆動するための駆動
信号を生成する駆動周波数制御工程とを具備することを特徴とする液晶装置用駆動方法。
【発明の詳細な説明】
【技術分野】
【０００１】
本発明は、一対の基板間に液晶を狭持してなり、複数の走査線と、複数のデータ線と、
前記複数の走査線と前記複数のデータ線との交差に対応して設けられた複数の画素とを具
備する液晶装置用駆動回路及び駆動方法並びに液晶装置及び電子機器に関する。
【背景技術】
【０００２】
画像を表示するための電気光学装置としての液晶装置は、近年、携帯電話等の携帯用電
子機器の表示装置として多く採用されている。一般に液晶は、環境温度により粘度や電圧
保持率等の物理特性が変化する。
【０００３】
例えば、低温においては、粘度が高くなることにより液晶分子の応答が遅くなるため、
画像の書き込みが間に合わず表示ができなくかる等の問題が生じる。一方、高温において
は、粘度が低下することにより液晶分子の応答が速くなり、さらに電圧保持率が低下する
ため、次の画像の書き込みを行う前に液晶分子が応答してしまいフリッカが発生してしま
う。
【０００４】
このような、液晶装置による画像表示品位を環境温度にかかわらず一定とする技術とし
て、温度検知部によって検知された環境温度の情報に基づいて、液晶を駆動する駆動信号
の印加電圧または印加時間を変化させる温度補償素子を備えた液晶装置（電気光学装置）
が、特開２００４−２１９９３３号公報に開示されている。
【特許文献１】特開２００４−２１９９３３号公報
【発明の開示】
【発明が解決しようとする課題】
【０００５】
しかしながら、特開２００４−２１９９３３号公報に開示の技術では、低温になるほど
液晶を駆動する駆動信号の印加電圧を高くする、又は印加時間を長くしなければならない
ため、液晶装置の消費電力が増加してしまう。
【０００６】
液晶装置の消費電力を低下させるためには、液晶装置の画像の書換え周波数（フレーム
周波数）を低くすることが考えられるが、環境温度が高い状態でフリッカが発生しないよ
うにするためには、フレーム周波数を比較的高い値（例えば６０［Ｈｚ］程度）としなけ
ればならず、やはり環境温度にかかわらず液晶装置の表示品位を維持しつつ消費電力を低
くすることは困難である。
【０００７】
本発明は、上記問題点に鑑みてなされたものであり、環境温度によらず表示品位を一定
に保ち、かつ消費電力を低くすることが可能な液晶装置用駆動回路及び駆動方法並びに液
晶装置及び電子機器を提供することを目的とする。
【課題を解決するための手段】
【０００８】
本発明に係る液晶装置用駆動回路は、一対の基板間に液晶を狭持してなり、複数の走査
線と、複数のデータ線と、前記複数の走査線と前記複数のデータ線との交差に対応して設
けられた複数の画素とを具備する液晶装置の液晶装置用駆動回路であって、前記液晶の温
度又は前記液晶装置の周囲の環境の温度を検出する温度検出手段と、該温度検出手段によ
り検出された前記温度に基づいて前記液晶装置の目標フレーム周波数を算出する算出手段
と、該算出手段により算出された前記目標フレーム周波数で前記液晶装置を駆動するため
の駆動信号を生成する駆動周波数制御手段とを具備することを特徴とする。
【０００９】
また、本発明に係る液晶装置用駆動方法は、一対の基板間に液晶を狭持してなり、複数
の走査線と、複数のデータ線と、前記複数の走査線と前記複数のデータ線との交差に対応
して設けられた複数の画素とを具備する液晶装置の液晶装置用駆動方法であって、前記液
晶の温度又は前記液晶装置の周囲の環境の温度を検出する温度検出工程と、該温度検出工
程で検出された前記温度に基づいて前記液晶装置の目標フレーム周波数を算出する算出工
程と、該算出工程で算出された前記目標フレーム周波数で前記液晶装置を駆動するための
駆動信号を生成する駆動周波数制御工程とを具備することを特徴とする。
【００１０】
また、本発明の電気光学装置は、上記電気光学装置用駆動回路を具備することを特徴と
する。
【００１１】
また、本発明の電子機器は、上記電気光学装置を具備することを特徴とする。
【００１２】
本発明のこのような構成によれば、液晶の温度に依存する物理特性、特に粘度の変化に
応じて液晶装置のフレーム周波数を可変とすることができる。このように、液晶の温度に
応じてフレーム周波数を変化させることにより、液晶装置の画像の表示品位を温度にかか
わらず一定に保ち、かつ消費電力を低くすることが可能となる。
【００１３】
また、本発明は、前記算出手段は、前記温度を変数とした一次式に基づいて前記目標フ
レーム周波数を算出することが好ましい。
【００１４】
このような構成によれば、算出手段の回路構成を単純にすることができ、電気光学装置
用駆動回路を安価かつ用意に構成することが可能となる。
【００１５】
また、本発明は、前記一次式は、次式で表されることが好ましい。  
Ｆ＝０．６Ｔ＋３０  
ただし、Ｆは前記目標フレーム周波数［Ｈｚ］、Ｔは前記温度［℃］  
このような構成によれば、常温（＋２５℃）におけるフレーム周波数が４５［Ｈｚ］と
なるため、従来に比して常温における消費電力を低くすることができる。
【００１６】
また、本発明は、さらに前記温度検出手段により検出された前記温度に基づいて、前記
画素に印加する電圧信号の電圧値を制御する信号電圧制御手段を具備することが好ましい
。
【００１７】
このような構成によれば、液晶の温度に応じて画素に印加する電圧信号の電圧値を変化
させることができ、より低消費電力で液晶装置を駆動することが可能となる。
【発明を実施するための最良の形態】
【００１８】
（第１の実施形態）  
以下、本発明の第１の実施形態について図１から図６を参照して説明する。図１は、本
発明の実施形態に係る液晶装置１０の構成を示すブロック図である。図２は、液晶パネル
１００の全体構成を示す斜視図である。図３は、この液晶パネル１００をＸ方向に沿って
破断した場合の構成を示す断面図である。図４は、液晶パネル１００における画素１１６
の詳細構成を説明する説明図である。
【００１９】
図１に示すように、液晶装置１０は、液晶パネル１００と制御回路４００とを具備して
構成される。本実施形態では、表示装置としての液晶パネル１００は、ホモジニアス配向
の液晶を用いた電界制御複屈折モードの液晶装置であり、液晶に印加される電圧を制御す
るためのスイッチング素子として二端子型非線形素子を用いたアクティブマトリクス型の
透過型液晶パネルである。
【００２０】
液晶パネル１００は、図２及び図３に示すように、それぞれが透光性を有し、所定の間
隔だけ離間して配設された矩形状の素子基板２００と対向基板３００との間に、電気光学
物質である液晶１６０を挟持してなる。対向基板３００は、素子基板２００よりも一回り
小さく形成されており、素子基板２００と対向基板３００とは、対向基板３００の外縁部
に沿って配設された枠状のシール材１１０によって貼り合わせられている。シール材１１
０には、導電性粒子１１４が混入されており、該導電性粒子１１４は、素子基板２００と
対向基板３００との離間距離を一定に保つスペーサの役割を有している。素子基板２００
と対向基板３００との間に挟持された液晶１６０は、両基板間に印加される電圧に応じて
配向状態が変化するものであり、これにより、液晶１６０を透過する光の偏光状態が変化
する。
【００２１】
図１に示すように、液晶パネル１００は、素子基板２００上に列（Ｙ）方向に延在して
形成された複数のデータ線（セグメント電極）２１２と、対向基板３００上に行（Ｘ）方
向に延在して形成された複数の走査線（コモン電極）３１２と、該データ線２１２と走査
線３１２とが交差し互いに対向する箇所に対応して設けられた複数の画素１１６と、を具
備している。また、液晶パネル１００は、複数のデータ線２１２が電気的に接続されたデ
ータ線駆動回路２５０、及び複数の走査線３１２が電気的に接続された走査線駆動回路３
５０を具備している。
【００２２】
画素１１６は、液晶容量１１８と、二端子型スイッチング素子の一例であるＴＦＤ（Th
in Film Diode：薄膜ダイオード）２２０との直列接続からなる。液晶容量１１８は、後
述するように、対向電極として機能する走査線３１２と、矩形状の画素電極２３４との間
に、液晶１６０を挟持した構成となっている。なお、本実施形態では、液晶パネル１００
に透過型のＴＦＤアクティブマトリクス駆動方式の液晶パネルを用いているが、液晶パネ
ル１００は、半透過半反射型であっても、反射型であってもよい。また、液晶パネル１０
０は能動素子としてＴＦＴを用いたものであってもよい。
【００２３】
以下に、液晶パネル１０のより具体的な構成を説明する。なお、以下の説明において、
説明の便宜上、走査線３１２の総数を３２０本とし、データ線２１２の総数を２４０本と
して、液晶装置１０を、縦３２０行×横２４０列のマトリクス型表示装置として説明する
が、本発明はこれに限定されるものではない。
【００２４】
図２及び図３に示すように、対向基板３００の、素子基板２００と対向する面上には、
所定の方向であるＸ方向（行方向）に延在する帯状電極たる複数の走査線３１２が形成さ
れている。該走査線３１２上には、配向膜３０８が形成されており、該配向膜３０８には
一定方向にラビング処理が施されている。ここで、複数の走査線３１２の一端は、それぞ
れシール材１１０の形成領域まで引き延ばされている。
【００２５】
一方、素子基板２００の対向基板３００に対向する面上には、Ｘ方向とは略直交するＹ
方向（列方向）に延在する複数のデータ線２１２と、該データ線に隣接する矩形状の複数
の画素電極２３４とが形成されている。データ線２１２は、一端がシール材１１０の形成
領域外にまで引き延ばされている。また、データ線２１２及び画素電極２３４上には、配
向膜２０８が形成されており、該配向膜２０８には、対向基板３００の配向膜３０８に施
された方向と略平行な方向にラビング処理が施されている。
【００２６】
ここで、素子基板２００の対向基板３００に対向する面上には、前述の複数の走査線３
１２の一端のそれぞれに対向する位置に一端を有する、複数の配線３４２が形成されてい
る。該走査線３１２と配線３４２との間には、シール材１１０が介装されるものであるが
、該シール材１１０内には、走査線３１２と配線３４２とのそれぞれが対向する箇所にお
いて、導電性粒子１１４が少なくとも１個以上介在するような割合にてシール材１１０中
に分散されている。このため、対向基板３００上に形成された走査線３１２は、当該導電
性粒子１１４を介して、素子基板２００上に形成された配線３４２に電気的に接続される
。よって、走査線３１２は、電気的に見て、素子基板２００上のシール材１１０の形成領
域外に引き出された状態となっている。
【００２７】
また、素子基板２００及び対向基板３００の、液晶１６０とは反対側の面上には、それ
ぞれ、偏光子１２１及び１３１が貼り付けられている。
【００２８】
液晶パネル１００における表示領域外には、図２に示すように、素子基板２００の対向
基板３００よりも張り出した２辺に、データ線２１２を駆動するためのデータ線駆動回路
２５０、及び、走査線３１２を駆動するための走査線駆動回路３５０が、それぞれＣＯＧ
（Chip On Glass）技術により実装されている。データ線駆動回路２５０は、データ線２
１２の一端に直接的に電気的に接続されている。一方、走査線駆動回路３５０は、配線３
４２及び導電性粒子１１４を介して、走査線３１２に電気的に接続されている。
【００２９】
走査線駆動回路３５０は、走査信号Ｙ１、Ｙ２、Ｙ３、…、Ｙ３２０を、それぞれ１行
目、２行目、３行目、…、３２０行目の走査線３１２に供給するものである。詳細には、
走査線駆動回路３５０は、３２０本の走査線３１２を１水平走査期間毎に順次１本ずつ選
択するとともに、選択した走査線３１２には選択電圧を、他の走査線３１２には非選択電
圧を、それぞれ供給する動作を１垂直走査期間毎に繰り返すものである。
【００３０】
データ線駆動回路２５０は、走査線駆動回路３５０により選択された走査線３１２に位
置する画素１１６に対し、その表示内容（階調）に応じたデータ信号Ｘ１、Ｘ２、Ｘ３、
…、Ｘ２４０を、それぞれ１列目、２列目、３列目、…、２４０列目のデータ線２１２を
介して供給するものである。
【００３１】
また、データ線駆動回路２５０が実装される領域の外側近傍には、ＦＰＣ（Flexible P
rinted Circuit）基板１５０の一端が接合されている。ＦＰＣ基板１５０の他端は、図２
では図示しないが、図１における制御回路４００及び図示しない電源回路に接続される。
【００３２】
なお、図１におけるデータ線駆動回路２５０及び走査線駆動回路３５０は、図２とは異
なり、それぞれ液晶パネル１００の左側及び上側にそれぞれ位置しているが、これは、電
気的な構成を説明するための便宜上の措置に過ぎない。また、データ線駆動回路２５０及
び走査線駆動回路３５０を、それぞれ素子基板２００にＣＯＧ実装する替わりに、例えば
、ＴＡＢ（Tape Automated Bonding）技術を用いて、各ドライバや電源回路が実装された
ＴＣＰ（Tape Carrier Package）を、異方性導電膜により電気的及び機械的に接続する構
成としても良い。
【００３３】
次に、液晶パネル１００における画素１１６の詳細構成について、図４を参照して説明
する。図４では、説明理解のために、配向膜２０８、３０８及び偏光子１２１、１３１を
省略している。
【００３４】
図４に示すように、素子基板２００の対向基板３００と対向する面上には、ＩＴＯ（In
dium Tin Oxide）などの透明導電体からなる矩形状の画素電極２３４がＸＹ方向に行列状
（マトリクス状）に配列されている。行列状に配列された画素電極２３４のうち、同一列
に配列された画素電極２３４は、共通の１本のデータ線２１２に、それぞれＴＦＤ２２０
を介して共通接続されている。
【００３５】
ＴＦＤ２２０は、基板側からみると、タンタル単体やタンタル合金などから形成され、
かつ、データ線２１２からＴ字状に枝分かれした第１の導電体２２２と、この第１の導電
体２２２を陽極酸化させた絶縁体２２４と、クロム等などの第２の導電体２２６とから構
成された、導電体／絶縁体／導電体のサンドイッチ構造を有している。このため、ＴＦＤ
２２０は、電流−電圧特性が正負双方向にわたって非線形となるダイオードスイッチング
特性を有することになる。
【００３６】
一方、対向基板３００の素子基板２００に対向する面上には、ＩＴＯなどの透明導電体
からなり、データ線２１２とは略直交する行方向（Ｘ方向）に延在する走査線３１２が、
画素電極２３４に対向する位置に配列されている。これにより、走査線３１２は、画素電
極２３４の対向電極として機能する。
【００３７】
したがって、図１に示した液晶容量１１８は、データ線２１２と走査線３１２とが交差
する箇所において、当該走査線３１２と、画素電極２３４と、両者の間に挟持された液晶
１６０とによって構成される。
【００３８】
このような構成において、データ線２１２に印加される電圧信号であるデータ信号にか
かわらず、ＴＦＤ２２０を強制的に導通状態（オン状態）にさせる電圧信号である走査信
号を走査線３１２に印加すると、当該走査線３１２及び当該データ線２１２の交差に対応
するＴＦＤ２２０がオン状態となり、オン状態となったＴＦＤ２２０に接続された液晶容
量１１８に、当該走査信号及び当該データ信号の電圧差に応じた電荷が蓄積される。電荷
蓄積後は、走査線３１２に非選択信号となる電圧を印加することで当該ＴＦＤ２２０をオ
フ状態とさせても、液晶容量１１８における電荷の蓄積が維持される。すなわち、液晶１
６０に印加される電圧が保持される。
【００３９】
液晶容量１１８では、蓄積される電荷量に応じて、液晶１６０の配向状態が変化し、こ
れにより一対の偏光子１２１、１３１を通過する光量が変化する。より具体的には、液晶
容量１１８に蓄積される電荷量、すなわち液晶１６０に印加される電圧実効値に応じて、
液晶１６０の配向状態が変化し、液晶１６０を透過する光の偏光状態が変化することによ
り、一対の偏光子１２１、１３１を通過する光量が変化する。したがって、液晶容量１１
８における電荷の蓄積量を画素１１６毎に制御することにより、液晶パネル１００におい
て、各画素１１６毎に所定の階調表示を行うことが可能となるのである。
【００４０】
上述のように、液晶パネル１００の各画素１１６には、１垂直走査期間毎にデータ信号
が供給される。つまり、液晶パネル１００の各画素１１６により構成される画像表示領域
は、１垂直走査期間毎に書換えられるものである。一般に、この１垂直走査期間は１フレ
ーム期間とも称され、単位は秒で表される。また、この液晶パネル１００の画像表示領域
の書換周期である１垂直走査期間の逆数を、フレーム周波数もしくはリフレッシュレート
と称し、単位をヘルツで表す。
【００４１】
なお、本実施形態における液晶パネル１００は、透過型の液晶パネルであるため、画素
１１６が形成された領域に均一な光を照射するバックライトユニットが配設されるもので
あるが、図示を省略している。
【００４２】
次に、上述した液晶パネル１００に接続される、制御回路４００について図５を参照し
て説明する。図５は、本実施形態の液晶装置用駆動回路の概略構成を説明する説明図であ
る。  
本実施形態の液晶装置用駆動回路は、上述の液晶パネル１００に配設されたデータ線駆
動回路２５０及び走査線駆動回路３５０からなるパネルドライバ４１０と、以下に説明す
る制御回路４００とによって構成されるものである。
【００４３】
制御回路４００は、ＭＰＵ及びメモリ等からなる算出手段であるコントローラ４０１、
駆動周波数制御手段である可変発振回路４０２、及び温度検出手段である温度センサ４０
３、を具備して構成される。なお、制御回路４００は、本実施形態では液晶パネル１００
とは別体に構成されるものであるが、例えば液晶パネル１００と一体に構成されるもので
あってもよい。
【００４４】
制御回路４００は、信号線を介して外部コントローラ６００に電気的に接続されている
。ここで、外部コントローラ６００とは、本実施形態の液晶装置１０に表示する動画像デ
ータＤinを生成する回路であり、液晶装置１０を具備する電子機器に内臓されたＭＰＵや
メモリ等からなる。外部コントローラ６００は、例えばＭＰＥＧ（Moving Picture Exper
ts Group）の規格により符号化され、フラッシュメモリ内に記憶されたデータを復号化し
、さらに該データを液晶装置１０により表示可能な動画像データＤinに変換して、制御回
路４００へ出力する、いわゆるデコーダの機能を有するものである。
【００４５】
駆動周波数制御手段である可変発振回路４０２は、液晶パネル１００のパネルドライバ
４１０の駆動タイミングを制御するための駆動信号ＣＬＫを生成し、パネルドライバ４１
０へ出力するための回路である。すなわち、液晶パネル１００の駆動は、可変発振回路４
０２により生成される駆動信号ＣＬＫにより制御される。ここで、駆動信号ＣＬＫは、液
晶パネル１００の１水平走査期間及び１垂直走査期間を規定する信号である。
【００４６】
また、可変発振回路４０２は、コントローラ４０１に電気的に接続されており、コント
ローラ４０１からの制御信号に応じて、駆動信号ＣＬＫの周波数を変化させて出力するこ
とができる。本実施形態では、可変発振回路４０２は、液晶パネル１００のフレーム周波
数Ｆfが、１０Ｈｚ以上８０Ｈｚ以下の範囲内の所定の値となるように、駆動信号ＣＬＫ
を変化させることができる。
【００４７】
温度検出手段である温度センサ４０３は、サーミスタを利用して液晶パネル１００の周
囲の環境の温度を測定し、この値から液晶１６０の温度Ｔを検出するセンサ回路であり、
パネルドライバ４１０と同様に、液晶パネル１００上に設けられている。温度センサ４０
３は、コントローラ４０１に電気的に接続されており、液晶１６０の温度Ｔをコントロー
ラ４０１へ出力する。なお、温度検出手段である温度センサは、パネルドライバ４１０も
しくは液晶パネル１００内に形成された回路素子、例えばＴＦＤ２２０の抵抗値の変化か
ら液晶１６０の温度もしくは周囲の環境の温度を算出するものであってもよい。また、温
度センサ４０３が測定しコントローラ４０１へ出力する情報は、液晶パネル１００の周囲
の環境の温度であってもよい。
【００４８】
算出手段であるコントローラ４０１は、所定の関数に基づき温度センサ４０３から入力
される液晶１６０の温度情報に応じた液晶パネル１００の目標フレーム周波数Ｆを算出し
、この目標フレーム周波数Ｆと実際の液晶パネル１００のフレーム周波数Ｆfとが等しく
なるように、駆動信号ＣＬＫを変更するための制御信号を可変発振回路４０２へ出力する
。ここで、コントローラ４０１は、予め記憶されている、温度Ｔとフレーム周波数Ｆとの
関係式、もしくは温度Ｔの値に応じて定められたフレーム周波数Ｆのテーブルに基づいて
、フレーム周波数Ｆを算出するものである。このとき、コントローラ４０１が算出する液
晶パネル１００のフレーム周波数Ｆは、液晶パネル１００の周囲の環境の温度Ｔが高いほ
ど高くなるように設定されている。
【００４９】
図６に、本実施形態における液晶パネル１００の目標フレーム周波数Ｆ［Ｈｚ］と、液
晶の温度Ｔ［℃］との関係をグラフで示す。図６において、横軸が液晶１６０の温度Ｔ［
℃］、縦軸が液晶パネル１００の目標フレーム周波数Ｆ［Ｈｚ］である。
【００５０】
図６に示すように、目標フレーム周波数Ｆは、温度Ｔを変数とした正の傾きを有する一
次関数である次式  
Ｆ＝ａ・Ｔ＋ｂ  ・・・（１）  
（但し、ａは正の定数、ｂは定数）  
で表される。具体的に本実施形態では、ａ＝０．６、ｂ＝３０であり、コントローラ４
０１は、液晶１６０の温度Ｔを用いて次の一次式  
Ｆ＝０．６Ｔ＋３０  ・・・（２）  
を演算することにより、目標フレーム周波数Ｆを算出する。
【００５１】
また、コントローラ４０１は、入力される動画像データＤinから、液晶パネル１００の
各画素１１６に書き込むべき画像信号であるフレームデータＤfを生成し、フレームデー
タＤfを駆動信号ＣＬＫと同期させてパネルドライバ４１０へ出力する。なお、コントロ
ーラ４０１は、液晶パネル１００のフレーム周波数Ｆｆに応じて、パネルドライバ４１０
へ出力するフレームデータＤfの１秒あたりのフレーム数を変更して出力するものであっ
てもよい。
【００５２】
また、図示しないが、液晶パネル１００及び制御回路４００には、それぞれに電源回路
が接続されている。
【００５３】
上述のように、本実施形態の液晶装置用駆動回路は、液晶１６０の温度Ｔを検出する温
度センサ４０３と、該液晶１６０の温度Ｔに応じた液晶パネル１００の目標フレーム周波
数Ｆを算出するコントローラ４０１と、液晶パネル１００を目標フレーム周波数Ｆで駆動
するための駆動信号ＣＬＫを生成する可変発振回路４０２とを有して構成される。ここで
、目標フレーム周波数Ｆは、液晶１６０の温度Ｔの値が高いほど高い値となるように設定
されている。また、本実施形態の液晶装置用駆動回路においては、液晶１６０の温度Ｔの
検出、及びそれに応じた目標フレーム周波数Ｆの算出と駆動信号ＣＬＫの周波数の決定は
、所定の周期で繰り返されるものである。
【００５４】
そして、本実施形態の液晶装置用駆動回路を備えた液晶装置１０は、液晶１６０の温度
Ｔの値に応じて値が異なるフレーム周波数Ｆfで駆動されるものであり、該フレーム周波
数Ｆfは、液晶１６０の温度Ｔが高いほど、高い値とされる。
【００５５】
上記式（２）は、実験に基づいて導出されたものであり、液晶１６０の温度Ｔが−３０
［℃］から＋７０［℃］の範囲で、液晶装置１０の画像の表示にフリッカが発生せず、か
つコントラストが低下しないフレーム周波数Ｆfを、一次関数で近似したものである。特
に、常温（本実施形態では２５［℃］）における液晶パネル１００のフレーム周波数Ｆf
を、フリッカが発生しない画像の表示品位を保ちつつ、消費電力を抑えられる４５［Ｈｚ
］となるように設定したものである。このように、常温（本実施形態では２５［℃］）に
おける液晶パネル１００のフレーム周波数Ｆfを、フリッカが発生しない範囲で低い値に
設定することにより、最も頻繁に使用される温度領域における液晶装置１０の消費電力を
抑えることが可能となる。
【００５６】
上述のような構成を有する、液晶装置１０及び液晶装置用駆動回路の作用を以下に説明
する。  
例えば、温度センサ４０３により検出された液晶１６０の温度Ｔ（もしくは液晶パネル
１００の周囲の環境の温度）が＋２５［℃］（本実施形態では常温とする）であった場合
、コントローラ４０１は、目標フレーム周波数Ｆを４５［Ｈｚ］と算出する。コントロー
ラ４０１は、現時点の液晶パネル１００のフレーム周波数Ｆfが４５［Ｈｚ］ではなかっ
た場合には、フレーム周波数Ｆfを目標フレーム周波数Ｆと等しくなる駆動信号ＣＬＫを
生成するように可変発振回路４０２へ制御信号を発する。可変発振回路４０２は、コント
ローラ４０１からの制御信号に応じた周波数を有する駆動信号ＣＬＫをパネルドライバ４
１０へ出力する。該駆動信号ＣＬＫはコントローラ４０１へも出力され、コントローラ４
０１は、フレームデータＤfを駆動信号に同期させてパネルドライバ４１０へ出力する。
以上により、液晶装置１０はフレーム周波数Ｆfを４５［Ｈｚ］として駆動され、フレー
ムデータＤfに応じた画像が液晶パネル１００に表示される。
【００５７】
また、液晶パネル１００の周囲の環境の温度が上昇し、温度センサ４０３により検出さ
れた液晶１６０の温度Ｔが＋５０［℃］に変化した場合、コントローラ４０１は、目標フ
レーム周波数Ｆを６０［Ｈｚ］と算出する。ここで、上述の＋２５［℃］の場合と同様の
動作により、液晶装置１０はフレーム周波数Ｆfを６０［Ｈｚ］として駆動され、フレー
ムデータＤfに応じた画像が液晶パネル１００に表示される。
【００５８】
一方、液晶パネル１００の周囲の環境の温度が下降し、温度センサ４０３により検出さ
れた液晶１６０の温度Ｔが−２０［℃］に変化した場合、コントローラ４０１は、目標フ
レーム周波数Ｆを１５［Ｈｚ］と算出する。ここで、上述の＋２５［℃］の場合と同様の
動作により、液晶装置１０はフレーム周波数Ｆfを１５［Ｈｚ］として駆動され、フレー
ムデータＤfに応じた画像が液晶パネル１００に表示される。
【００５９】
すなわち、環境温度が常温（＋２５［℃］）の状態においては、液晶パネル１００はフ
レーム周波数Ｆfが４５［Ｈｚ］で駆動され、常温よりも環境温度が上昇すれば、液晶パ
ネル１００のフレーム周波数Ｆfは高くなり、常温よりも環境温度が下降すれば、液晶パ
ネル１００のフレーム周波数Ｆfは低くなる。
【００６０】
本実施形態の液晶装置１０及び液晶装置用駆動回路の効果を以下に説明する。  
まず、環境温度が常温の状態では、液晶パネル１００のフレーム周波数Ｆfは４５［Ｈ
ｚ］であり、従来一般的に使用されているフレーム周波数である６０［Ｈｚ］に比して低
いフレーム周波数で液晶パネル１００は駆動される。また、環境温度が常温の状態では、
液晶パネル１００のフレーム周波数Ｆfは４５［Ｈｚ］とした場合に、液晶パネル１００
の画像の表示にフリッカは発生しない。よって、本実施形態では、環境温度が常温の状態
では、従来に比して液晶パネル１００の画像の表示品位を低下させることなく、消費電力
を低くすることが可能となる。
【００６１】
次に、環境温度が高温となる状態（常温よりも高い状態）では、液晶パネル１００はフ
レーム周波数Ｆfが４５［Ｈｚ］よりも高い値で駆動される。この状態では、液晶１６０
の粘度が低下し、さらに液晶１６０の電圧保持率が低下するために、液晶パネル１００の
表示にフリッカが発生しやすくなるものであるが、本実施形態では、液晶パネル１００の
フレーム周波数Ｆfは、フリッカが発生しない値まで高められている。よって、本実施形
態では、環境温度が高温となる状態においても、液晶パネル１００の画像の表示品位は常
温の場合と同等の状態が保たれる。
【００６２】
次に、環境温度が低温となる状態（常温よりも低い状態）では、液晶パネル１００はフ
レーム周波数Ｆfが４５［Ｈｚ］よりも低い値で駆動される。この状態では、液晶１６０
の粘度が上昇するために、液晶パネル１００の画像の表示の応答速度が低下するものであ
るが、本実施形態では、液晶パネル１００のフレーム周波数Ｆfは、画像の表示の応答遅
れが発生しない値とされている。よって、本実施形態では、環境温度が低温となる状態に
おいても、液晶パネル１００の画像の表示品位は、常温の状態と同等の状態が保たれる。
また、フレーム周波数Ｆfが低く、かつ液晶１６０の電圧保持率は下がらないことにより
、画素１１６に供給する電圧信号の書き込み時間を長くすることができる。よって、画素
１１６に供給する電圧信号の電圧を高くすることなく、液晶１６０に印加する電圧実効値
を高くすることができ、従来に比して消費電力を低くすることができる。
【００６３】
以上のように、本実施形態によれば、液晶装置１０の画像の表示品位を環境温度にかか
わらず一定に保ち、かつ消費電力を低くすることが可能となるのである。
【００６４】
また、本実施形態では、算出手段であるコントローラ４０１は、温度Ｔを変数とした一
次式に基づいて目標フレーム周波数Ｆを算出する。このようにコントローラ４０１を構成
することにより、目標フレーム周波数Ｆを算出するための回路構成を単純にすることが可
能となり、容易かつ安価に液晶装置用駆動回路を構成することができる。
【００６５】
なお、上述の本実施形態の液晶装置は、例えば、ＶＡ（垂直配向）モード等の動作モー
ドを採用した液晶パネルや、片側の基板に一対の電極が形成される液晶パネル、例えばＩ
ＰＳ（In-Plane Switching）等であっても構わない。
【００６６】
（第２の実施形態）  
以下、本発明の液晶装置の第２の実施形態を図７及び図８を参照して説明する。本実施
形態の液晶装置１０ａは、第１の実施形態に比べ、液晶装置用駆動回路の構成のみが異な
る。よって、この相違点のみを説明し、第１の実施形態と同様の構成には同じ符号を付し
、その説明は省略する。
【００６７】
図７は、本実施形態の液晶装置用駆動回路の概略構成を説明する説明図である。本実施
形態の液晶装置用駆動回路は、第１の実施形態の液晶装置用駆動回路の構成に加えて、さ
らに信号電圧制御手段である信号電圧制御回路４０４を有する。信号電圧制御回路４０４
は、コントローラ４０１及びパネルドライバ４１０に電気的に接続されており、コントロ
ーラ４０１が出力する、フレームデータＤf内の画素１１６に印加する電圧信号であるデ
ータ信号の電圧値を、コントローラ４０１からの指令に応じて制御しパネルドライバ４１
０へ出力する。ここで、データ信号とは、上述の通り、データ線２１２に印加される電圧
信号であり、液晶１６０に印加される電圧実効値を決定する信号である。
【００６８】
また、本実施形態では、コントローラ４０１は、フレームデータＤfを信号電圧制御回
路４０４へ出力するとともに、予め記憶された情報から、温度センサ４０３から入力され
る液晶１６０の温度Ｔに基づいて液晶パネル１００を駆動するために好適なデータ信号の
最適電圧値Ｖoを算出し、該最適電圧値Ｖoにデータ信号の電圧値を変更するように信号電
圧制御回路４０４へ指令を出力する。
【００６９】
すなわち、本実施形態の液晶装置１０ａでは、液晶１６０の温度もしくは周囲の環境の
温度に応じて、第１の実施形態と同様にフレーム周波数が変更されるとともに、画素１１
６に印加される電圧信号の電圧値も変更される。
【００７０】
ここで、本実施形態の液晶パネル１００に用いられる液晶の特性について説明する。図
８に、異なるＡからＣの３種類の液晶材料を用いた場合の、液晶の温度としきい値電圧の
関係をグラフで示す。図８において、横軸は液晶の温度［℃］であり、縦軸は液晶に印加
する電圧値を変化させた場合に、画素における表示の諧調が変わり始める電圧値である閾
値電圧［Ｖ］である。図８に示すように、３種類の液晶はともに、温度が高くなるほど閾
値電圧が低くなっており、これは他の液晶でも共通の傾向を有することが一般的である。
本実施形態では、液晶１６０として図８に示した３種類の液晶材料のうちのいずれかが使
用される。
【００７１】
本実施形態の液晶装置１０ａ及び液晶装置用駆動回路は、第１の実施形態と同様の効果
を有するものであり、さらに、以下のような効果を有する。
【００７２】
まず、環境温度が常温の状態では、液晶パネル１００のフレーム周波数Ｆfは４５［Ｈ
ｚ］であり、従来一般的に使用されているフレーム周波数である６０［Ｈｚ］に比して低
いフレーム周波数で液晶パネル１００は駆動される。また、環境温度が常温の状態では、
液晶パネル１００のフレーム周波数Ｆfは４５［Ｈｚ］とした場合に、液晶パネル１００
の画像の表示にフリッカは発生しない。よって、本実施形態では、環境温度が常温の状態
では、従来に比して液晶パネル１００の画像品位を低下させることなく、消費電力を低く
することが可能となる。
【００７３】
次に、環境温度が高温となる状態（常温よりも高い状態）では、液晶パネル１００はフ
レーム周波数Ｆfが４５［Ｈｚ］よりも高い値で駆動される。この状態では、液晶１６０
の粘度が低下し、さらに液晶１６０の電圧保持率が低下するために、液晶パネル１００の
表示にフリッカが発生しやすくなるものであるが、本実施形態では、液晶パネル１００の
フレーム周波数Ｆfは、フリッカが発生しない値とされている。また、液晶パネル１００
の各画素１１６に印加されるデータ信号の電圧値は、常温の場合よりも低く設定される。
図８に示したように、液晶１６０は、高温であるほど閾値電圧が下がる傾向を有する。し
たがって本実施形態では液晶パネル１００は、高温の状態では、常温の状態よりも高いフ
レーム周波数で駆動されるものであるが、閾値電圧が低いことによりデータ信号の電圧値
を低くしたとしても画像品位を低下させることなく表示を行うことができる。したがって
、本実施形態では、第１の実施形態に比してより低消費電力で画像の表示を行うことがで
きる。
【００７４】
次に、環境温度が低温となる状態（常温よりも低い状態）では、液晶パネル１００はフ
レーム周波数Ｆfが４５［Ｈｚ］よりも低い値で駆動される。この状態では、液晶１６０
の粘度が上昇するために、液晶パネル１００の画像の表示の応答速度が低下するものであ
るが、本実施形態では、液晶パネル１００のフレーム周波数Ｆfは、画像の表示の応答遅
れが発生しない値とされている。よって、本実施形態では、環境温度が低温となる状態に
おいても、液晶パネル１００の画像品位は、常温の状態と同等の状態が保たれる。また、
フレーム周波数Ｆfが低く、液晶１６０の電圧保持率は下がらないことにより、画素１１
６に供給する電圧信号の書き込み時間を長くすることができる。よって、低温においては
液晶１６０の閾値電圧は上昇するものであるが、画素１１６に供給するデータ信号の電圧
を高くすることなく液晶１６０に印加する電圧実効値を高くすることができ、第１の実施
形態に比して消費電力をさらに低くすることができる。
【００７５】
以上のように、本実施形態では、各画素に供給する電圧信号の電圧値を、液晶もしくは
周囲の環境温度に応じて変化させることにより、液晶装置１０ａの画像の表示品位を環境
温度にかかわらず一定に保ち、かつ第１の実施形態よりも消費電力を低くすることが可能
となるのである。
【００７６】
なお、本実施形態では、画素１１６に印加される電圧値が液晶１６０の温度もしくは周
囲の環境温度に応じて変更されるものであればよく、信号電圧制御回路４０４により電圧
が制御される電圧信号は、データ信号のみに限らず、走査信号でもよいし、またデータ信
号と走査信号の双方であってもよい。
【００７７】
次に、本発明に係る液晶装置を適用可能な電子機器の具体例について図９を参照して説
明する。  
本発明に係る液晶装置を、携帯電話機の表示部に適用した例について説明する。図９は
、この携帯電話機の構成を示す斜視図である。図７に示すように、携帯電話機１２００は
、複数の操作ボタン１２０１のほか、受話口１２０２、送話口１２０３とともに、本発明
に係る液晶装置を適用した表示部１２０４を備える。
【００７８】
上述のような電子機器である携帯電話機１２００によれば、表示部１２０４において携
帯電話機１２００を使用する環境の温度に影響されることなく高品位な画像を提供するこ
とができ、また従来に比して表示部１２０４の消費電力が低いため、同一容量の充電池に
より長時間稼動することが可能となる。
【００７９】
なお、本発明に係る液晶装置が適用される電子機器としては、図７に示される携帯電話
機の他にも、メディアプレイヤー、デジタルスチルカメラ、ノートパソコン、液晶テレビ
、ビューファインダ型（またはモニタ直視型）のビデオレコーダ、カーナビゲーション装
置、ページャ、電子手帳、ＰＤＡ、電卓、ワードプロセッサ、ワークステーション、テレ
ビ電話、ＰＯＳ端末、タッチパネルを備えた機器等などが挙げられる。
【００８０】
本発明は、上述した実施形態に限られるものではなく、請求の範囲及び明細書全体から
読み取れる発明の要旨或いは思想に反しない範囲で適宜変更可能であり、そのような変更
を伴う液晶装置用駆動回路及び駆動方法並びに液晶装置及び電子機器もまた本発明の技術
的範囲に含まれるものである。
【図面の簡単な説明】
【００８１】
【図１】第１の実施形態に係る液晶装置の構成を示すブロック図である。
【図２】同液晶装置の構成を示す斜視図である。
【図３】同液晶装置における液晶パネルの構成を示す断面図である。
【図４】同液晶装置における画素の構成を示す部分破断斜視図である。
【図５】液晶装置用駆動回路の概略構成を説明する説明図である。
【図６】液晶パネルの目標フレーム周波数Ｆと、液晶の温度Ｔとの関係を示すグラフである。
【図７】第２の実施形態に係る液晶装置の構成を示すブロック図である。
【図８】液晶の温度としきい値電圧の関係を示すグラフである。
【図９】携帯電話機の構成を示す斜視図である。
【符号の説明】
【００８２】
１０  液晶装置、  １００  液晶パネル、  ４００  制御回路、  ４０１  コントロー
ラ、  ４０２  可変発振回路、  ４０３  温度センサ、  ４１０  パネルドライバ、  ６
００  外部コントローラ
【図１】
2007304234.tif 000003
【図２】
2007304234.tif 000004
【図３】
2007304234.tif 000005
【図４】
2007304234.tif 000006
【図５】
2007304234.tif 000007
【図６】
2007304234.tif 000008
【図７】
2007304234.tif 000009
【図８】
2007304234.tif 000010
【図９】
2007304234.tif 000011